(57)【要約】      （修正有）【課題】エレキギターのスピーカーキャビネットにおいて、演奏者の意図する共鳴音を発生させるギターアンプ共鳴スピーカーキャビネットを提供する。【解決手段】複数枚のフロントパネル１，２とスピーカーユニット３とを含み、スピーカーキャビネット本体４の前方から見て手前から奥側へと順番にフロントパネル１、フロントパネル２を取り付け、フロントパネル２にスピーカーユニット３を取り付け、スピーカーユニットの前方にあるフロントパネル１とフロントパネル２の間に共鳴音を発生する空間を設ける。【選択図】図２
0003200860.tif 000002
【実用新案登録請求の範囲】
【請求項１】
フロントパネルを複数枚取り付ける。スピーカーユニットはスピーカーユニットの前方から見て奥側のパネルに取り付ける。この構造により、スピーカーユニットの前方に共鳴音を発生する空間を設ける事を特徴とするギターアンプ共鳴スピーカーキャビネット。
【考案の詳細な説明】
【技術分野】
【０００１】  本件考案は、ギターアンプ用スピーカーキャビネットの構造に関するものである。
【背景技術】
【０００２】  楽器の中で、ギターは大きく分けて（１）アコースティックギター（２）エレキギターの２種類が存在する。エレキギターは電気による増幅装置とスピーカーキャビネットに装着されたスピーカーを駆動して演奏を行う。【０００３】  従来のエレキギターアンプ用のスピーカーキャビネットは、電気増幅を用いないアコースティックギターに比べて大きな音量で演奏することが可能である。【０００４】  アコースティックギターは本体が共鳴を発生して音量を増幅する構造となっている。このため、独特の共鳴音を有する。【０００５】  それに対してエレキギターは、電気的に増幅した音声信号でスピーカーユニットを駆動して音量を増幅する。従来のエレキギター用スピーカーユニットはキャビネット前面に取り付けられたパネル（以下「フロントパネル」という）が１枚の板で構成されたフロントパネルに取り付けられていた。このフロントパネルの前には共鳴を起こす空間は無いため、共鳴が不足するという欠点があった。【０００６】  この改善策として従来から採られていた方法はスピーカーキャビネットの後部にバックパネルを設ける事である。スピーカーの背面を覆う事でスピーカーキャビネット全体を振動させ、共鳴音を出すという方法が一般的であった。しかしながらこの方法では演奏者にとって不快な振動を発することが多く、快適な共鳴音を得ることは出来ないという問題があった。【０００７】  不快な振動を除外する方法は先行技術として存在していたが、これは不快な音の除外が目的であり、演奏者に必要な共鳴音を得る物ではない。【０００８】  快適な共鳴音を得るための先行技術としては、スピーカーキャビネットの形状をアコースティックギターのボディ形状と同様にするという先行技術がある。しかし、この方法はスピーカーキャビネットの製作に楽器製造と同等の高度な製作技術を要する。そのため製作費用が高額となる。【０００９】  そのため、エレキギター奏者は楽曲演奏時にアコースティックギターと同等の共鳴音を必要とするときは、別途アコースティックギターを用意する必要があった。この事は演奏者にとって演奏機材を多数用意する必要に迫られる。これにより保管場所の確保、機材の購入費用のために経済的負担が必要となるといった問題もあった。
【先行技術文献】
【特許文献】
【００１０】
【特許文献１】  特開平５−４１８９６
【特許文献２】  特開２００２−２４７６７６
【特許文献３】  特開２００５−６０５３
【特許文献４】  特開２００７−１２３９８６
【特許文献５】  特開２００８−２３６４０６
【特許文献６】  特開２０１５−９２２６１
【考案の概要】
【考案が解決しようとする課題】
【００１１】  解決しようとする問題点は、従前のスピーカーキャビネットではエレキギター演奏者が必要とする快適な共鳴音が不足するという問題である。
【課題を解決するための手段】
【００１２】  この改善策として、フロントパネルを１枚だけの構造ではなく図１の様に複数枚設ける。スピーカーは奥側のパネル２に取り付け、手前側には穴を開けたフロントパネル１を取り付ける。
【考案の効果】
【００１３】  本考案のスピーカーキャビネットは、スピーカーが発する音をヘルムホルツ共鳴によって、アコースティックギターと同等な、演奏者に快適となる共鳴音を発生させる。【００１４】  フロントパネル１の口径を変更する事で容易に共鳴音の周波数を変更することも可能である。【００１５】  さらに２次的効果として、本考案のスピーカーキャビネットはスピーカーユニットがキャビネットの奥に位置するため、スピーカーユニットはフロントパネル１によって保護される。これにより、従来のスピーカーキャビネットで必要とされた布や網によるスピーカーの保護も不要となり、製造コストの低減も達成する。
【図面の簡単な説明】
【００１６】
【図１】  スピーカーキャビネット斜前方からの見取り図
【図２】  スピーカーキャビネット横方向からの断面図
【考案を実施するための形態】
【００１７】  以下、本考案における実施の形態を図に基づいて説明する。
【００１８】  図１は、本考案スピーカーキャビネットの斜前方見取り図である。スピーカーユニット３はスピーカーキャビネット４の奥側に取り付けられているフロントパネル２に取り付ける。フロントパネル２より数センチメートル〜十数センチメートル前方側にフロントパネル１をスピーカーキャビネットキャビネット４に接着材もしくはネジにより固定する。フロントパネル１には開口部６が開けられている
【００１９】  図２は、本考案スピーカーキャビネットの横方向から見た断面図である。左側が前方、右側が後方である。スピーカーユニットが取り付けられたフロントパネル２と前方に取り付けられたフロントパネル１の間に存在する空間によって共鳴音を発生する。フロントパネル１に開けられた開口部６の口径によって共鳴音の周波数は変化する。バックパネル５を取り付ける事によって音が後方のみに拡散する事を抑制している。なおバックパネル５は、スピーカーキャビネットの後方を密封する必要は無い。本件考案の図２においてもスピーカーキャビネットの後方は密閉されていない。
【００２０】  このフロントパネル１をネジにより固定した場合は、演奏者の好みに合わせて開口部６の口径が異なるフロントパネル１に交換することが容易である。
【００２１】  ホルムヘルツ共鳴の固有振動数は一般的に以下の数式により計算を行う。下記の表に各物理量の実用的な値の数値を表す。
【００２２】
【数１】
0003200860.tif 000003
【００２３】
【表１】
0003200860.tif 000004
【００２４】  上記の数値通りにスピーカーキャビネットを製作し、フロントパネル１の有無による周波数特性の変化を示す。
【００２５】
【表２】
0003200860.tif 000005
【００２６】  上記のグラフで表示した様に、共鳴音による音質の変化が発生していることが確認できる。計算により算出された３６８Ｈｚ付近の音量が増していることが確認できる。
【産業上の利用可能性】
【００２７】  本件考案のスピーカーキャビネットは簡易な構造でエレキギターの音に共鳴音を加えることが可能である。エレキギターが新たな音を発することで音楽産業及び音楽文化の発展に寄与するものである。
【符号の説明】
【００２８】  １  フロントパネル１
２  フロントパネル２
３  スピーカーユニット
４  スピーカーキャビネット本体
５  バックパネル
６  開口部
【図１】
0003200860.tif 000006
【図２】
0003200860.tif 000007
【手続補正書】
【提出日】平成27年8月11日(2015.8.11)
【手続補正１】
【補正対象書類名】実用新案登録請求の範囲
【補正対象項目名】請求項１
【補正方法】変更
【補正の内容】
【請求項１】
複数枚のフロントパネル（１，２）とスピーカーユニット（３）とを含み、スピーカーキャビネット本体（４）の前方から見て手前から奥側へと順番にフロントパネル（１）、フロントパネル（２）を取り付け、フロントパネル（２）にスピーカーユニット（３）を取り付け、スピーカーユニットの前方にあるフロントパネル（１）とフロントパネル（２）の間に共鳴音を発生する空間を設ける事を特徴とするギターアンプ共鳴スピーカーキャビネット。